(57)【特許請求の範囲】
【請求項１】
走行可能な台車上に立設した支柱の上端に、図書を載置する図書置き台が、左右方向を向く水平軸を中心として回動可能に枢支され、この図書置き台を回動させて、その上下両面を反転させることにより、それぞれの面がほぼ水平な載置面と、上向きに後傾する書見面となるようにしたことを特徴とする図書館用カート。
【請求項２】
図書置き台を、支柱に沿う格納位置に回動できるようにした、請求項１記載の図書館用カート。
【請求項３】
走行可能な台車上に立設した支柱の上端に、図書を載置するほぼ平行な図書置き台を固着し、この図書置き台に上蓋の後端部を蝶着して、上蓋を図書置き台上に開閉自在に設け、前記上蓋を閉じたとき、その表面が載置面となり、かつ上蓋を後上方に開いたとき、その裏面が書見面となるようにしたこと特徴とする図書館用カート。
【請求項４】
支柱を、台車の後部から前部に向かって斜めに立設し、この支柱に、図書などを収納する収納部を設けた、請求項１〜３のいずれかに記載の図書館用カート。
【請求項５】
支柱を、台車の前部から起立させ、途中で後向きの段部を形成させてから、上方に延びるようにした、請求項１〜３のいずれかに記載の図書館用カート。
【請求項６】
台車に、水平の台部を設けた、請求項１〜５のいずれかに記載の図書館用カート。
【請求項７】
図書置き台の近傍に、書架に収蔵された図書の収蔵位置等の検索、及び表示用の電子端末機を設けた、請求項１〜６のいずれかに記載の図書館用カート。
【請求項８】
箱形の図書置き台の中に、書架に収蔵された図書の収蔵位置等の検索及び表示用の電子端末機を設けた、請求項１〜６のいずれかに記載の図書館用カート。
【発明の詳細な説明】
【０００１】
【発明の属する技術分野】
本発明は、図書館の利用者が使用するのに好適な図書館用カートに関する。
【０００２】
【従来の技術】
従来、図書館等において、図書の運搬のためにカートが使用されている。また、書架に収蔵されている図書の検索には、電子端末機が用いられている。
【０００３】
【発明が解決しようとする課題】
しかし、図書館等で使用される従来のカートは、走行台車に立設した支柱に、棚を多段に架設しただけのものであって、書架スペースと閲覧スペースとの間、または書架スペースと貸し出しカウンターとの間を、通常は図書館員が図書を大量に移動運搬するために使用されるものであり、利用者が書架スペースにおいて開架式の書架から探索した図書を、簡易的に載置して短時間書見するために必要な機能を充分に備えていない。
【０００４】
また、書架に収蔵された図書の収蔵位置等の検索や表示については、貸し出しカウンターや閲覧スペースなど、所定の場所に設置されている図書検索用の電子端末機を利用するしかなく、利用者が書架スペースの随意の場所に携行して、移動しながら図書検索を行うことができなかった。
【０００５】
本発明の目的は、図書館等において、利用者が便利に利用できる図書館用カートを提供することにある。
【０００６】
【課題を解決するための手段】
本発明によると、上記課題は、次のようにして解決される。
(１) 走行可能な台車上に立設した支柱の上端に、図書を載置する図書置き台が、左右方向を向く水平軸を中心として回動可能に枢支され、この図書置き台を回動させて、その上下両面を反転させることにより、それぞれの面がほぼ水平な載置面と、上向きに後傾する書見面となるようにする。
【０００７】
(２) 上記(１)項において、図書置き台を、支柱に沿う格納位置に回動できるようにする。
【０００８】
(３) 走行可能な台車上に立設した支柱の上端に、図書を載置するほぼ平行な図書置き台を固着し、この図書置き台に上蓋の後端部を蝶着して、上蓋を図書置き台上に開閉自在に設け、前記上蓋を閉じたとき、その表面が載置面となり、かつ上蓋を後上方に開いたとき、その裏面が書見面となるようにする。
【０００９】
(４) 上記(１)〜(３)項のいずれかにおいて、支柱を、台車の後部から前部に向かって斜めに立設し、この支柱に、図書などを収納する収納部を設ける。
【００１０】
(５) 上記(１)〜(３)項のいずれかにおいて、支柱を、台車の前部から起立させ、途中で後向きの段部を形成させてから、上方に延びるようにする。
【００１１】
(６) 上記(１)〜(５)項のいずれかにおいて、台車に、水平の台部を設ける。
【００１２】
(７) 上記(１)〜(６)項のいずれかにおいて、図書置き台の近傍に、書架に収蔵された図書の収蔵位置等の検索、及び表示用の電子端末機を設ける。
【００１３】
(８) 上記(１)〜(６)項のいずれかにおいて、箱形の図書置き台の中に、書架に収蔵された図書の収蔵位置等の検索及び表示用の電子端末機を設ける。
【００１４】
【発明の実施の形態】
図１〜図４は、本発明の図書館用カートの第１の実施形態を示す図である。
図１に示すように、カート(１)は台車(２)を備え、台車(２)は、キャスタ−(３)付きの左右２本の脚(４)(４)を、後部において台部(５)により連結してなり、２本の脚(４)(４)は、図３に示すネスティング格納のため、前部がやや開くように、台部(５)により結合されている。
【００１５】
台車(２)の後部、すなわち左右の脚(４)(４)の後端部から、２本の支柱(６)(６)が、若干前傾するようにして立設されている。これらの支柱(６)の間には、図２にもっともよく示されているように、後面板(７)が、上部に空間を残して架設されている。
【００１６】
支柱(６)(６)間の内側には、後面板(７)の上端部に開口する収納袋、または収納部(８)が取り付けられている。この図書を入れて運ぶための収納部(８)は、金属枠を入れた布袋、金属網、金属篭など任意所望のものとすることができる。
【００１７】
２本の支柱(６)の上端部には、左右方向を向く水平の軸(９)により、図書置き台(10)が回動可能に取り付けられている。図書置き台(10)は、図１に実線により示すように、おおよそ３０度の角度で上向きに後傾する位置と、想像線により示すように、軸(９)から前方に延びるほぼ水平な位置との間を回動することができる。
【００１８】
後傾する位置において上面となる面には、すべり止めマット(11)が貼付されており、利用者が立った姿勢で、この上で図書を見る書見面となる。図書置き台(10)の裏面の載置面は、図２に示すように、利用者が簡易閲覧コーナーのバー型式のスツール(12)に掛けて図書を閲覧する場合や、一般に図書を一時的に載置する場合の載置台となる。
【００１９】
図４に示すように、軸(９)の端部には、ハンディタイプの電子端末機(13)を取り付けることができるようになっている。電子端末機(13)は、図書館のデータベースと、無線ＬＡＮ中継機により接続され、書架に収蔵された図書の収蔵位置等の検索及び表示を行うことができる。
【００２０】
図５〜図８に示す本発明の第２の実施形態においては、ネスティングを容易にするため、台車(２)は前部が低く、後部の荷物載置用の水平な台部(５)では高くなっている。支柱(６)は、内向きに大きくカーブし、その内側に設けられた収納部(８)は、ステンレス鋼の丸棒を溶接して形成したフレームにより形成され、実線により示す格納位置と、想像線により示す使用位置との間を回動することができる。
【００２１】
２本の支柱(６)の上端には、水平の固定台(14)が固着されており、これにより、カートの剛性を高めるとともに、図書置き台(10)を回動可能に支持している。図書置き台(10)は、図５に実線により示す書見位置と、破線により示すほぼ水平の図書載置位置と、同様に破線により示す、支柱(６)に沿う格納位置との間を回動することができる。
【００２２】
図６は、利用者がスツール(12)に腰掛けて、このカート(１)を利用して書見をする状況を示し、図７は、このカート(１)を利用者が押し進める状況を示している。この状態では、カート(１)を押し進める利用者が、書架の前で確保できる視野(α)が充分に広いことを示している。
【００２３】
図８には、利用者が立ったまま、書見位置に設定した図書置き台(10)の上に図書を広げて見ている状況を示すもので、図書置き台(10)の傾斜角(θ)が効果的であることを示している。
【００２４】
図９〜図１０に示す本発明の第３の実施形態では、台車(２)におけるキャスター(３)付きの脚(４)を、後部に向かうにつれて広く開いた形状とし、その前部から、１本の幅広の支柱(６)が立設されている。
【００２５】
支柱(６)は、まず垂直に立ち上った後、後傾して、足掛けのステップとなる段部(15)が形成され、次いで、大きなカーブを描いてやや前傾し、上端に至っている。このカーブ部分の後面には、折り畳み式のステンレス鋼製フレームからなる収納部(８)が、また、同じく前面には、手荷物等を引っかけるフック(16)が設けられている。
【００２６】
支柱(６)の上端には、図書置き台(10)が固着されており、この図書置き台(10)の上蓋(17)が、その後端部を図書置き台(10)に蝶着して開閉自在に設けられている。閉じたときの上蓋(17)の表面は載置面となり、後上方に開いたときの上蓋(17)の裏面は書見面となる。
【００２７】
また、支柱(６)の上端には、その後部に取り外し可能な電子端末機(13)も設けられている。
【００２８】
図１０に示すように、このカート(１)は、閲覧コーナーの机(18)の後部に設けられたスリット部分(19)に側方から差し入れて、そのまま図書置き場所として利用することができる。
【００２９】
図１１に示す変形例では、図書置き台(10)は箱形となっており、上蓋(17)を開くと、中に電子端末機(13)を収容する空所(20)が形成されるようになっている。
【００３０】
【発明の効果】
請求項１および３記載の発明によると、図書館利用者がカートを書架間を自由に押し進める図書搬送手段として、また、立ち姿のまま、さらには腰掛けた姿勢等で、図書を閲覧する書見台として便利に利用することができる。
【００３１】
また、請求項１記載の発明によると、同じ図書置き台が、ほぼ水平の図書載置台として、また傾斜する書見台として利用でき、便利である。
【００３２】
請求項２記載の発明によると、ネスティング格納時に図書置き台が邪魔にならない。
【００３３】
請求項３記載の発明によると、上蓋の両面が、それぞれ書見台及び図書載置台を構成し、しかも図書載置台として使用する際、図書は、上蓋のみならず図書置き台によっても支持されるので、相当の量の図書を支持することができる。
【００３４】
請求項４記載の発明によると、カートを押し進める際の利用者の前方視野を広くすることができるとともに、収納部に多数の図書を収納しても、その重量がカートの重心位置付近に加わるため、カートが転倒するおそれがない。
【００３５】
請求項５記載の発明によると、カートの後部を書架に当接させた状態で、段部に足を掛けて、書架の高い位置にある図書を取ることができる。
【００３６】
請求項６記載の発明によると、台部に重い鞄などを安定して置くことができる。
【００３７】
請求項７記載の発明によると、定位置に設置してある固定の端末機まで行かずに、随時随所において、図書の検索、表示を行うことができる。
【００３８】
請求項８記載の発明によると、電子端末機を外部に露出させず、図書置き台内に安全に保護格納することがができる。
【図面の簡単な説明】
【図１】  本発明の図書館用カートの第１の実施形態を示す斜視図である。
【図２】  同じく、利用者がバー型式のスツールに腰掛けて、カートを書見台に用いる状況を示す斜視図である。
【図３】  同じく、カートをネスティング格納した状況を示す側面図である。
【図４】  同じく、カートに取り付けた電子端末機を示す部分斜視図である。
【図５】  本発明の図書館用カートの第２の実施形態の側面図である。
【図６】  同じく、利用者が、バー型式のスツールに腰掛けて、カートを書見台に用いる状況を示す側面図である。
【図７】  同じく利用者が、カートを押し進めている状況を示す側面図である。
【図８】  同じく利用者が、立ち姿のまま、カートに載置した図書を開いて見ている状況を示す側面図である。
【図９】  本発明の図書館用カートの第３の実施形態を示す斜視図である。
【図１０】  同じく、このカートを机のスリット部分内に入れて、図書置き台として利用している状況を示す斜視図である。
【図１１】  同じく、電子端末機収納用空所を内部に設けた箱形の図書置き台を示す部分斜視図である。
【符号の説明】
(１)図書館用カート
(２)台車
(３)キャスター
(４)脚
(５)台部
(６)支柱
(７)後面板
(８)収納部
(９)軸
(10)図書置き台
(11)すべり止めマット
(12)スツール
(13)電子端末機
(14)支持部
(15)段部
(16)フック
(17)上蓋
(18)机
(19)スリット部分
(20)空所
【図１】
0004347476.tif 000002
【図２】
0004347476.tif 000003
【図３】
0004347476.tif 000004
【図４】
0004347476.tif 000005
【図５】
0004347476.tif 000006
【図６】
0004347476.tif 000007
【図７】
0004347476.tif 000008
【図８】
0004347476.tif 000009
【図９】
0004347476.tif 000010
【図１０】
0004347476.tif 000011
【図１１】
0004347476.tif 000012